(57)【要約】【課題】専用の機器を不要とし、かつ、事前準備の手間を削減して、物品の真贋判定を行うことが可能な発光モジュール、ラベル、タグ、発光システムおよび発光方法を提供する。【解決手段】発光モジュールは、有機ＥＬ発光パネルと、有機ＥＬ発光パネルに電気的に接続され、有機ＥＬ発光パネルに供給する電力を外部から無線で受電する無線受電部とを備える。ラベルは、物品に取り付け可能に構成され、発光モジュールが組み込まれている。タグは、物品に取り付け可能に構成され、発光モジュールが組み込まれている。発光システムは、発光モジュールと、発光モジュールとは別体であり、無線受電部に無線で送電する無線送電装置とを備える。発光方法は、有機ＥＬ発光パネルを備える発光モジュールの発光方法であって、有機ＥＬ発光パネルを発光させる電力を、無線での送受電を介して有機ＥＬ発光パネルに供給する。【選択図】図１
2020025062.tif 000002
【特許請求の範囲】
【請求項１】
有機ＥＬ発光パネルと、
前記有機ＥＬ発光パネルに電気的に接続され、前記有機ＥＬ発光パネルに供給する電力を外部から無線で受電する無線受電部と、
を備える発光モジュール。
【請求項２】
前記有機ＥＬ発光パネルは、前記無線受電部の内側に配置されている、
請求項１に記載の発光モジュール。
【請求項３】
前記無線受電部は、電磁誘導により起電力を発生する誘導コイルを有し、
前記誘導コイルのループの内側に配置されている前記有機ＥＬ発光パネルは、非磁性体材料を用いて形成されている、
請求項２に記載の発光モジュール。
【請求項４】
前記有機ＥＬ発光パネルは、前記無線受電部の外側に配置されている、
請求項１に記載の発光モジュール。
【請求項５】
前記有機ＥＬ発光パネルは、前記無線受電部と所定距離を開けて配置されている、
請求項４に記載の発光モジュール。
【請求項６】
前記有機ＥＬ発光パネルと前記無線受電部とを電気的に接続する導電部材と、
前記有機ＥＬ発光パネル、前記無線受電部および前記導電部材が配置され、可撓性を有するシート状の基体と、
をさらに備え、
前記基体において前記導電部材が配置される部分は、前記基体において前記有機ＥＬ発光パネルまたは前記無線受電部が配置される部分よりも細幅化されている、
請求項４に記載の発光モジュール。
【請求項７】
前記無線受電部は、電磁誘導方式を利用して前記電力の供給を受ける、
請求項１〜６の何れか１項に記載の発光モジュール。
【請求項８】
物品に取り付け可能に構成され、請求項１〜７の何れか１項に記載の発光モジュールが組み込まれている、
ラベル。
【請求項９】
物品に取り付け可能に構成され、請求項１〜７の何れか１項に記載の発光モジュールが組み込まれている、
タグ。
【請求項１０】
請求項１〜７の何れか１項に記載の発光モジュールと、
前記発光モジュールとは別体であり、前記無線受電部に無線で送電する無線送電装置と、
を備える発光システム。
【請求項１１】
前記無線送電装置は、スマートフォンである、
請求項１０に記載の発光システム。
【請求項１２】
前記無線送電装置は、送電の制御により前記有機ＥＬ発光パネルの発光状態を可変させる、
請求項１０または１１に記載の発光システム。
【請求項１３】
有機ＥＬ発光パネルを備える発光モジュールの発光方法であって、
前記有機ＥＬ発光パネルを発光させる電力を、無線での送受電を介して前記有機ＥＬ発光パネルに供給する、
発光方法。
【発明の詳細な説明】
【技術分野】
【０００１】
本発明は、発光モジュール、ラベル、タグ、発光システムおよび発光方法に関する。
【背景技術】
【０００２】
従来から、商品は、例えば、工場において生産され、配売店において消費者に販売されている。販売店における販売業者は、消費者に対して、その商品が正規の工場で生産され、正規の流通ルートを経て販売された商品に関して、商品の品質を保証している。すなわち、正規に販売された商品を偽造された商品と区別し、一定以上の品質を保つことにより、消費者に対して商品への信頼を向上している。
【０００３】
特に、商品が著名なブランド品である場合、例えば、高級酒などの高価な商品や電化製品の消耗品など、偽造防止を要する物品などにおいては、それらの真贋を判定するために、商品本体やそれを包装したケース等に封印ラベルが貼り付けられる。また、品質保証書（または品質保証カード）などを商品に添付し、製造者の真正商品であることを保証して商品を取引することが行われている。
【０００４】
しかし、近年、封印ラベルや品質保証書そのものの偽造が容易となってきており、それらの有無のみで真正商品であるか否かを判断することは困難であるという問題があった。
【０００５】
この問題に対して、物品上に認証タグ（例えば、ＲＦＩＤタグ）を設け、電子装置が、当該認証タグに対応する識別コードと商品情報とを照合して認証タグに対する認証を行うことにより、当該物品の真贋を判定する認証システムが提案されている（例えば、特許文献１を参照）。
【先行技術文献】
【特許文献】
【０００６】
【特許文献１】特開２０１４−１２７２００号公報
【発明の概要】
【発明が解決しようとする課題】
【０００７】
しかしながら、上記特許文献１に記載されているような認証システムでは、各物品に設けられた認証タグに対する認証を行うために専用の機器（電子装置）が必要であり、また、当該認証タグに用いられるＩＣチップなどの個別情報をデータベースに予め登録しておく必要がある等、物品の真贋を判定するための事前準備に手間がかかるという問題があった。
【０００８】
本発明の目的は、専用の機器を不要とし、かつ、事前準備の手間を削減して、物品の真贋判定を行うことが可能な発光モジュール、ラベル、タグ、発光システムおよび発光方法を提供することである。
【課題を解決するための手段】
【０００９】
本発明に係る発光モジュールは、
有機ＥＬ発光パネルと、
前記有機ＥＬ発光パネルに電気的に接続され、前記有機ＥＬ発光パネルに供給する電力を外部から無線で受電する無線受電部と、
を備える。
【００１０】
本発明に係るラベルは、
物品に取り付け可能に構成され、上記発光モジュールが組み込まれている。
【００１１】
本発明に係るタグは、
物品に取り付け可能に構成され、上記発光モジュールが組み込まれている。
【００１２】
本発明に係る発光システムは、
上記発光モジュールと、
前記発光モジュールとは別体であり、前記無線受電部に無線で送電する無線送電装置と、
を備える。
【００１３】
本発明に係る発光方法は、
有機ＥＬ発光パネルを備える発光モジュールの発光方法であって、
前記有機ＥＬ発光パネルを発光させる電力を、無線での送受電を介して前記有機ＥＬ発光パネルに供給する。
【発明の効果】
【００１４】
本発明によれば、専用の機器を不要とし、かつ、事前準備の手間を削減して、物品の真贋判定を行うことができる。
【図面の簡単な説明】
【００１５】
【図１】本実施の形態における発光モジュールの構成を示す図である。
【図２】本実施の形態における発光モジュールが、物品に取り付け可能なラベルに組み込まれる例を示す図である。
【図３】本実施の形態における発光モジュールが、物品に取り付け可能なタグに組み込まれる例を示す図である。
【図４】本実施の形態における発光システムにおいて、発光モジュールを発光させる例を示す図である。
【図５】本実施の形態における発光モジュールの構成の変形例を示す図である。
【発明を実施するための形態】
【００１６】
以下、本実施の形態を図面に基づいて詳細に説明する。図１は、本実施の形態における発光モジュール１の構成を示す図である。発光モジュール１は、回路基板１０と、受信コイル２０と、導電部材２２と、有機ＥＬ（Electronic Luminescence）発光パネル３０とを備えて構成される。なお、回路基板１０は、本発明の「基体」に対応する。受信コイル２０は、本発明の「無線受電部」に対応する。
【００１７】
回路基板１０は、有機ＥＬ発光パネル３０、受信コイル２０および導電部材２２が配置され、可撓性を有するシート状の基体である。具体的には、回路基板１０は、絶縁性を持った薄く柔らかいベースフィルム（ポリイミド等）と銅箔等の導電性金属を貼り合わせた基材から成るフレキシブルプリント基板（ＦＰＣ）である。
【００１８】
受信コイル２０は、電磁誘導により起電力を発生する誘導コイルを有し、回路基板１０上に例えばエッチングによって形成される。受信コイル２０は、導電部材２２を介して、有機ＥＬ発光パネル３０（具体的には、有機ＥＬ発光素子のアノードおよびカソード）に電気的に接続されている。
【００１９】
受信コイル２０は、例えばスマートフォン（図４を参照）など、外部の無線送電装置から無線で電力の供給を受け（受電）、有機ＥＬ発光パネル３０に電力を供給する。本実施の形態では、受信コイル２０に対して無線送電装置から電磁波が送信された場合に、その送信前と比べて受信コイル２０の近傍の磁場が変化し、受信コイル２０に誘導起電力が発生するという電磁誘導方式を利用して、受信コイル２０は、無線送電装置から無線で電力の供給を受ける。そして、受信コイル２０は、発生した起電力を有機ＥＬ発光パネル３０に駆動電力として供給する。
【００２０】
なお、無線で電力を供給する方式は、電磁誘導方式を利用する場合に限らず、磁界共鳴方式、電波受信方式または電界結合方式などを利用しても良い。ここで、磁界共鳴方式とは、送電側と受電側にコイルとコンデンサを埋め込み、それぞれの共振器を磁界共鳴させて、電力を供給する方式である。電波受信方式とは、送電側で電流を電磁波に変換して受電側に送ることによって電力を供給する方式である。この電波受信方式では、受電側は、アンテナから電磁波を受信し、整流回路を通じて直流電流に変換し、電力として利用する。電界結合方式とは、送電側と受電側にそれぞれ電極を設置し、それぞれの電極が近接したときに発生する電界を利用して電力を供給する方式である。
【００２１】
有機ＥＬ発光パネル３０は、例えば有機ＥＬ発光パネル３０の場所を集約化して発光モジュール１のサイズをなるべくコンパクトにする（小さくする）観点から、誘導コイル（受信コイル２０）のループの内側に配置されている。有機ＥＬ発光パネル３０は、受信回路２０で発生した電力（誘導起電力）の供給を受けることによって発光する。有機ＥＬ発光パネル３０の発光輝度は、受信回路２０で発生した電力の大きさに比例して大きくなる。このように、発光モジュール１は、有機ＥＬ発光パネル３０を発光させるための電源を自前で用意しておくことを不要にするというメリットを有する。
【００２２】
有機ＥＬ発光パネル３０は、基材となるガラス基板や透明樹脂フィルム／金属シート等の基板上に、一方または双方が透光性を有し対向する電極とその電極間に積層した薄膜有機発光層とからなる有機ＥＬ発光素子を形成したものである。有機ＥＬ発光パネル３０は、凹状に窪みを作った封止ガラスキャップや、この有機ＥＬ発光素子上に製膜した酸化または窒化珪素などの無機絶縁膜、またはアクリル系樹脂等の有機絶縁膜などからなる封止膜で封止されていても良い。
【００２３】
有機ＥＬ発光素子における電極の間に電力が供給されると、有機ＥＬ発光素子の中で電気的に励起された電子と正孔とが再結合し、有機ＥＬ発光パネル３０は発光する。有機ＥＬ発光パネル３０は、超薄型化・軽量化・フレキシブル化に適した自発光デバイスである。
【００２４】
図２は、発光モジュール１が、飲料ボトル４０（本発明の「物品」に対応）に取り付け可能なラベル５０に組み込まれる例を示す図である。図２Ａに示すように、ラベル５０は、飲料ボトル４０の側面中央部に貼り付けられ、飲料ボトル４０を識別するために使用される。ラベル５０には、飲料ボトル４０を識別するための識別情報「ＬＯＧＯ」が印刷されている。また、本実施の形態では、発光モジュール１が組み込まれたラベル５０は、飲料ボトル４０の真贋判定を行うことにも使用される。
【００２５】
図２Ｂは、発光モジュール１が組み込まれたラベル５０を、その表面側から透視した図である。図２Ｃは、ラベル５０の断面構成を示す図である。図２Ｃに示すように、ラベル５０は、両面テープ５４を用いて、ラベル外装紙５２の裏面に対して発光モジュール１の表面を貼り付けることによって構成される。発光モジュール１は、薄く、かつ、フレキシブルに構成できるため、ラベル５０の構成（特に、デザイン性やフレキシブル性）を崩さずに、発光モジュール１をラベル５０に組み込むことができる。
【００２６】
このことは、例えば産業印刷分野では様々な媒体を印刷しているが、特に薄く機能的なものが求められている中、より美麗性や目立つ点からも発光する素材として対応できる点で有利である。特に従来の発光する産業用印刷については、例えば蛍光塗料等で対応することも多かったが、蛍光塗料では常に光らすことは難しく、かといって電気的に発光させる構成とし、更に発光性を高めようとすると発光させるための電源が必要となってくる。この場合、デザイン上で薄さが求められるのは勿論の事、例えば印刷技術を使って大量に製造する場合に求められる薄さからみて、困難な場合が多い。
【００２７】
図３は、発光モジュール１が、飲料ボトル４０に取り付け可能なタグ６０に組み込まれる例を示す図である。図３Ａに示すように、タグ６０は、タグ６０に形成された貫通穴６２に紐７０を通し、その紐７０を飲料ボトル４０の首に掛けることによって飲料ボトル４０に取り付けられ、飲料ボトル４０を識別するために使用される。タグ６０には、飲料ボトル４０を識別するための識別情報「ＴＡＧ」が印刷されている。また、本実施の形態では、発光モジュール１が組み込まれたタグ６０は、飲料ボトル４０の真贋判定を行うことにも使用される。
【００２８】
図３Ｂは、発光モジュール１が組み込まれたタグ５０を、その表面側から透視した図である。図３Ｃは、タグ６０の断面構成を示す図である。図３Ｃに示すように、タグ６０は、タグ外装紙（表面）６４とタグ外装紙（裏面）６６との間に発光モジュール１が配置されるように、両面テープ６８を用いてタグ外装紙（表面）６４とタグ外装紙（裏面）６６とを貼り付けることによって構成される。発光モジュール１は、薄く、かつ、フレキシブルに構成できるため、タグ６０の構成（特に、デザイン性やフレキシブル性）を崩さずに、発光モジュール１をタグ６０に組み込むことができる。
【００２９】
図４は、発光モジュール１を発光させる発光システム１００の例を示す図である。図４Ａは、ユーザー（例えば、消費者）が、飲料ボトル４０に貼り付けられたラベル５０にスマートフォン８０（本発明の「無線送電装置」として機能）を近づけた後、スマートフォン８０に搭載されている所定のアプリを起動して、スマートフォン８０からラベル５０に電磁波８２を送信させる様子を示している。図４Ｂは、ユーザーが、飲料ボトル４０に取り付けられたタグ６０にスマートフォン８０を近づけた後、スマートフォン８０に搭載されている所定のアプリを起動してスマートフォン８０からタグ６０に電磁波８２を送信させる様子を示している。
【００３０】
図４Ａ，４Ｂに示すように、発光モジュール１とは別体であるスマートフォン８０からラベル５０（またはタグ６０）に電磁波８２が送信されることによって、ラベル５０（またはタグ６０）に組み込まれた受信コイル２０（発光モジュール１）の近傍の磁場が変化し、受信コイル２０に誘導起電力が発生する。受信コイル２０は、発生した起電力を有機ＥＬ発光パネル３０（発光モジュール１）に供給する。そして、有機ＥＬ発光パネル３０は、受信回路２０で発生した電力（誘導起電力）の供給を受けることによって例えば赤色で発光する。なお、スマートフォン８０は、送電の制御により有機ＥＬ発光パネル３０の発光状態を可変させても良い。例えば、スマートフォン８０から送信される電磁波８２の送信パターンを変更することによって、有機ＥＬ発光パネル３０の発光パターンを変更しても良い。
【００３１】
本実施の形態では、ユーザーは、スマートフォン８０からラベル５０（またはタグ６０）に電磁波８２を送信させ、ラベル５０（またはタグ６０）が発光するか否かを確認することによって、飲料ボトル４０の真贋判定を容易に行うことができる。すなわち、ユーザーは、ラベル５０（またはタグ６０）が発光することを確認することによって、飲料ボトル４０が真正商品であることを判定することができる。一方、ユーザーは、ラベル５０（またはタグ６０）が発光しないことを確認することによって、飲料ボトル４０が真正商品でなく、偽造品であることを判定することができる。さらに言えば、広く普及しているスマートフォン８０を用いてラベル５０（またはタグ６０）を発光させるという簡単な構成で飲料ボトル４０の真贋判定を行うことができるため、上記特許文献１に記載されているような従来技術と比べて、専用の機器を不要とし、かつ、事前準備の手間を削減することもできる。
【００３２】
なお、上記実施の形態では、スマートフォン８０が本発明の「無線送電装置」として機能する例について説明したが、本発明はこれに限らない。例えば、無線で電力を供給する送電機能を有するタブレットなどの電子装置が本発明の「無線送電装置」として機能しても良い。
【００３３】
また、上記実施の形態では、有機ＥＬ発光パネル３０が、受信コイル２０の内側に配置されている例について説明したが、本発明はこれに限らない。例えば、有機ＥＬ発光パネル３０は、図５に示すように、回路基板１０および受信コイル２０の外側に配置されても良い。
【００３４】
図５Ａは、有機ＥＬ発光パネル３０が、受信コイル２０の外側に、距離を開けずに配置される例を示している。図５Ｂは、有機ＥＬ発光パネル３０が、受信コイル２０の外側に、所定距離を開けて配置される例を示している。図５Ｂに示すように、回路基板１０の導電部材２２の配置部分は、回路基板１０の受信コイル２０の配置部分よりも、細幅化されている。これにより、物品の底部に受信コイル２０を配置し、当該物品の側部に導電部材２２および有機ＥＬ発光パネル３０を配置するなど、物品に発光モジュール１を貼り付ける際のバリエーションを増やすことができる。なお、回路基板１０の導電部材２２の配置部分は、回路基板１０の有機ＥＬ発光パネル３０の配置部分よりも、細幅化されていても良い。
【００３５】
有機ＥＬ発光パネル３０を受信コイル２０の外側に配置させることによって、有機ＥＬ発光パネル３０に発生する渦電流等の影響により、受信コイル２０の近傍の磁場が変化することを抑制し、ひいては受信コイル２０に発生する誘導起電力の低下を抑制することができる。受信コイル２０に発生する誘導起電力の低下をより抑制する観点からは、図５Ａの構成よりも、有機ＥＬ発光パネル３０が、回路基板１０および受信コイル２０の外側に、所定距離を開けて配置される構成（図５Ｂを参照）を採用することが好ましい。ここで、所定の距離とは、例えば一般的な飲料ボトルの大きさの中央部に通常配置されるラベル位置に有機ＥＬ発光パネル３０を設置した場合に、その有機ＥＬ発光パネル３０から飲料ボトル４０の底部に受信コイル２０をある程度余裕をもって配置することができる程度の距離である。
【００３６】
また、図５Ａに示すように距離を大きく開けずに、発光モジュール１のサイズをなるべく小さくする観点から、受信コイル２０を有機ＥＬ発光パネル３０に沿わせて配置しても良い。また、ラベル５０（またはタグ６０）の形状に合わせて有機ＥＬ発光パネル３０と、回路基板１０および受信コイル２０との相対配置関係を適宜変更しても良い。
【００３７】
また、上記実施の形態において、単にラベル５０（またはタグ６０）が発光するか否かを確認するのではなく、ラベル５０（またはタグ６０）が所定の発光条件（例えば、発光輝度、発光色、発光時間、発光タイミング、発光形状）で発光しているか否かを確認することによって、飲料ボトル４０の真贋判定を行っても良い。例えば、スマートフォン８０に設けられた輝度検出部で、ラベル５０（またはタグ６０）の発光輝度を検知し、検知された発光輝度が所定輝度以上であるか否かを確認することによって、飲料ボトル４０の真贋判定を自動的に行っても良い。
【００３８】
更に言えば、スマートフォン８０内にダウンロード等で追加された真贋を証明する製造元からのアプリの機能によって、スマートフォン８０に設けられた輝度検出部を更にコントロールし、所定の発光条件（例えば、発光輝度、発光色、発光時間、発光タイミング、発光形状）を変更し発光を適宜変更することや、製品の購入履歴とリンクさせた登録者の認証などを行うことで、より真贋の精度を向上させることなども可能である。
【００３９】
また、上記実施の形態では、発光モジュール１の代表的な組み込み先としてラベル５０およびタグ６０を挙げて説明したが、発光モジュール１は、これらの代表例にとらわれることなく様々場所に組み込むことが可能である。例えば、飲料ボトル４０を梱包する製品パッケージ箱に発光モジュール１を組み込んでも良い。この場合、発光モジュール１は、製品パッケージ箱の側面または上面に組み込まれ、飲料ボトル４０（製品）を識別するために使用される。製品パッケージ箱には、梱包される飲料ボトル４０を識別すためのロゴタイプや製品名が印刷されている。
【００４０】
ユーザーは、スマートフォン８０から製品パッケージ箱に電磁波８２を送信させ、製品パッケージ箱が発光するか否かを確認することによって、製品パッケージ箱に梱包される飲料ボトル４０の真贋判定を容易に行うことができる。すなわち、ユーザーは、製品パッケージ箱が発光することを確認することによって、飲料ボトル４０が真正商品であることを判定することができる。一方、ユーザーは、製品パッケージ箱が発光しないことを確認することによって、その製品が真正商品でなく、偽造品であることを判定することができる。さらに言えば、広く普及しているスマートフォン８０を用いて製品パッケージ箱を発光させるという簡単な構成でその製品の真贋判定を行うことができるため、上記特許文献１に記載されているような従来技術と比べて、専用の機器を不要とし、かつ、事前準備の手間を削減することもできる。
【００４１】
真贋判定に用いられる素材においては、それが流用、転用されにくいという「非転用性」を有していることが商品に適用するための重要な要素となることが知られている。「非転用性」とは、真贋判定に一度用いられたものは次に使えない形態となる、または、一度機能を発揮した場合には次には機能不全となる、といった性質である。上記実施の形態における有機ＥＬ発光パネル３０については、発光モジュール１から有機ＥＬ発光パネル３０の一部が剥がれやすくなるよう（すなわち着脱可能）に構成して、「非転用性」を向上させることも可能である。例えば、有機ＥＬ発光パネル３０が複数の層からなる場合には、その一部の層が剥がれやすくなるよう（すなわち着脱可能）に構成される等である。
【００４２】
また、上記実施の形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４３】
１  発光モジュール
１０  回路基板
２０  受信コイル
２２  導電部材
３０  有機ＥＬ発光パネル
４０  飲料ボトル
５０  ラベル
５２  ラベル外装紙
５４，６８  両面テープ
６０  タグ
６２  貫通穴
６４  タグ外装紙（表面）
６６  タグ外装紙（裏面）
７０  紐
８０  スマートフォン
８２  電磁波
１００  発光システム
【図１】
2020025062.tif 000003
【図２】
2020025062.tif 000004
【図３】
2020025062.tif 000005
【図４】
2020025062.tif 000006
【図５】
2020025062.tif 000007